(57)【要約】【課題】樋支持具本体に所望の耐候性、色・柄等を簡単に付与する。【解決手段】樋支持具本体１に、所望の耐候性、色・柄等を有するカバー体２を着脱自在に装着してなる。【選択図】図１
2007063801.tif 000002
【特許請求の範囲】
【請求項１】
樋支持具本体に、所望の耐候性、色・柄等を有するカバー体を着脱自在に装着してなるカバー付樋支持具。
【請求項２】
請求項１において、
カバー体の端部には、樋支持具本体に係脱可能な係止部を形成し、前記樋支持具本体に前記カバー体を着脱自在に装着してなるカバー付樋支持具。
【請求項３】
請求項１において、
カバー体の端部には、互いに係脱可能な係止部及び被係止部を各々形成し、前記樋支持具本体に前記カバー体を着脱自在に装着してなるカバー付樋支持具。
【請求項４】
請求項１〜３の何れかにおいて、
樋支持具本体は、竪樋を抱持して支持する抱持バンドと、前記抱持バンドを壁面等に固定する固定部とからなる竪樋用樋支持具本体であるカバー付樋支持具。
【請求項５】
請求項１〜３の何れかにおいて、
樋支持具本体は、軒樋を支持する樋支持部と、前記樋支持部を軒先等に固定する固定部とからなる軒樋用樋支持具本体であるカバー付樋支持具。
【発明の詳細な説明】
【技術分野】
【０００１】
本発明は、建物等に設置される雨樋を支持するためのカバー付樋支持具に関する。
【背景技術】
【０００２】
一般に、建物等には、屋根上等からの雨水を排水するための雨樋が設置されているが、この雨樋は、これを支持する樋支持部と、当該樋支持部を建物等の適所に固定するための固定部と、からなる樋支持具によって前記建物等に設置されている（例えば、特許文献１参照。）。
【０００３】
この樋支持具は、雨樋の形状の応じて適宜形成されるが、何れも、金属製或いは樹脂製で形成されてなる。
【０００４】
一方、近年のデザイン化に伴い、樋支持具は、その形状のみならず、雨樋や建物等の色・柄等に合せた様々な色目のものが開発されている。
【０００５】
具体的には、金属製樋支持具の場合では、その金属表面にカラー塗装して所望の色目に仕上げてなり、樹脂製樋支持具の場合では、樹脂原材料を所望の色目に配合したうえでこれを成形してなる。
【特許文献１】特開２００３−３４３０５１号
【発明の開示】
【発明が解決しようとする課題】
【０００６】
ところが、最近では、雨樋の高耐候性化が要求され、前記金属製樋支持具にカラー塗装したものでは、経年劣化によって前記カラー塗装の方が早く変色してしまうという問題がある。
【０００７】
そのため、耐候性のある塗料を塗装することも考えたが、コストが掛かるとともに、その塗装作業に手間と時間を要し、塗装作業が困難であるという問題がある。
【０００８】
更に、雨樋の色・柄等に対応した樋支持具を各色揃えておかねばならず、在庫スペースの確保が困難であるという問題もある。
【０００９】
本発明は、かかる課題を解決することを目的とするもので、樋支持具本体に所望の耐候性、色・柄等を有するカバー体を装着することを新規に創作したカバー付樋支持具を提供する。
【課題を解決するための手段】
【００１０】
上記目的を達成するため、
請求項１に係るカバー付樋支持具は、樋支持具本体に、所望の耐候性、色・柄等を有するカバー体を着脱自在に装着してなる。
【００１１】
請求項２に係るカバー付樋支持具は、請求項１において、カバー体の端部には、樋支持具本体に係脱可能な係止部を形成し、前記樋支持具本体に前記カバー体を着脱自在に装着してなる。
【００１２】
請求項３に係るカバー付樋支持具は、請求項１において、カバー体の端部には、互いに係脱可能な係止部及び被係止部を各々形成し、前記樋支持具本体に前記カバー体を着脱自在に装着してなる。
【００１３】
請求項４に係るカバー付樋支持具は、請求項１〜３の何れかにおいて、樋支持具本体は、竪樋を抱持して支持する抱持バンドと、前記抱持バンドを壁面等に固定する固定部とからなる竪樋用樋支持具本体である。
【００１４】
請求項５に係るカバー付樋支持具は、請求項１〜３の何れかにおいて、樋支持具本体は、軒樋を支持する樋支持部と、前記樋支持部を軒先等に固定する固定部とからなる軒樋用樋支持具本体である。
【発明の効果】
【００１５】
本発明によれば、以下の効果がある。
【００１６】
請求項１に係るカバー付樋支持具によれば、樋支持具本体に、所望の耐候性、色・柄等を有するカバー体を着脱自在に装着してなるので、樋支持具本体に耐候性を簡単に付与することできる。
【００１７】
また、樋支持具本体を共用できるので、雨樋の色・柄等に対応したカバー体だけを各色揃えておけば良く、在庫スペースを狭小にできる。
【００１８】
請求項２に係るカバー付樋支持具によれば、カバー体の端部に、樋支持具本体に係脱可能な係止部を形成した構造にしているので、樋支持具本体に直接カバー体を着脱自在に係止して装着できる。
【００１９】
請求項３に係るカバー付樋支持具によれば、カバー体の端部には、互いに係脱可能な係止部及び被係止部を各々形成した構造にしているので、樋支持具本体に係止する場所がなくても、カバー体を樋支持具本体に着脱自在に係止して装着できる。
【００２０】
請求項４に係るカバー付樋支持具によれば、樋支持具本体は、竪樋を抱持して支持する抱持バンドと、前記抱持バンドを壁面等に固定する固定部とからなる竪樋用樋支持具本体であるので、請求項１〜３の効果を竪樋に対して確実に発揮できる。
【００２１】
請求項５に係るカバー付樋支持具によれば、樋支持具本体は、軒樋を支持する樋支持部と、前記樋支持部を軒先等に固定する固定部とからなる軒樋用樋支持具本体であるので、請求項１〜３の効果を軒樋に対して確実に発揮できる。
【発明を実施するための最良の形態】
【００２２】
以下、本発明に係るカバー付樋支持具Ａを図面とともに説明する。
【実施例１】
【００２３】
図１は、本発明に係るカバー付樋支持具Ａの一実施例を示す分解斜視図及び組立て後の斜視図である。
【００２４】
このカバー付樋支持具Ａは、樋支持具本体１に、所望の耐候性、色・柄等を有するカバー体２を着脱自在に装着してなる。
【００２５】
この図１では、樋支持具本体１は、竪樋（不図示）を抱持して支持する抱持バンド１１と、抱持バンド１１を壁面等に固定する固定部１２とからなる竪樋用樋支持具本体１’を例示している。
【００２６】
抱持バンド１１は、竪樋（不図示）の形状に応じて形成されるが、ここでは、ヒンジ１１ａを介して開閉可能に略半円状に形成された２つ割の本体部１１ｂと蓋部１１ｃからなるものを例示している。
【００２７】
また、これら本体部１１ｂ及び蓋部１１ｃの適所には、補強用のリブ（不図示）を形成することも可能である。
【００２８】
本体部１１ｂと蓋体１１ｃの開放端には、竪樋（不図示）を抱持して係脱可能な係合手段１１ｄを設けている。
【００２９】
固定部１２は、その基端が本体部１１ｂの中央に固着され、先端を釘状に形成したものを示しており、この先端を壁面等に打ち込んで固定するものである。
【００３０】
なお、竪樋用樋支持具本体１’は、本実施例に例示したような円パイプ状の竪樋（不図示）の他、角パイプ状の竪樋、その他種々の形状の竪樋にも適用できることは勿論であり、また、固定部１２も本実施例に示したような先端釘状のものに限定されず、例えば、金属片等をネジ、釘等で固定する構造ものであっても良く、従来の竪樋用樋支持具本体１’を利用することができる。
【００３１】
カバー体２は、所望の耐候性、色・柄等を有する高耐候性樹脂等で形成している。
【００３２】
ここでは、カバー体２が、竪樋用樋支持具本体１’と同系色であって、この抱持バンド１１を被覆するように一部が切り離された略円形に形成しており、このカバー体２の開放端２１を弾性力に抗して外側に広げながら抱持バンド１に被覆すれば、カバー体２の弾性力で抱持バンド１１を簡単に被覆できる。
【００３３】
また、図１では、カバー体２の上下端に、竪樋用樋支持具本体１’の抱持バンド１１の上下端に係脱可能な係止部２２、２２を形成しておけば、この係止部２２、２２が抱持バンド１１の上下端に係止されて、竪樋用樋支持具本体１’にカバー体２を着脱自在に装着できる。
【００３４】
もっとも、カバー体２は、竪樋用樋支持具本体１’が外被されている全ての部分を被覆することも可能であり、例えば、図示しないが、固定部１２をカバー体２で被覆することも可能であるが、要は、少なくとも、竪樋用樋支持具本体１’を壁面等に取付けた際に外部から目視される部分にカバー体２が被覆されていれば良いのである。
【００３５】
このような本発明のカバー付樋支持具Ａによれば、竪樋用樋支持具本体１’に、所望の耐候性、色・柄等を有するカバー体２を着脱自在に装着してなるので、複雑な塗装作業を行うことなく、竪樋用樋支持具本体１’に耐候性を簡単に付与することできる。
【００３６】
また、竪樋用樋支持具本体１’を共用できるので、雨樋の色・柄等に対応したカバー体２だけを各色揃えておけば良く、在庫スペースを狭小にできる。
【実施例２】
【００３７】
図２〜図４は、本発明に係るカバー付樋支持具Ａの他の実施例を示す分解斜視図及び組立て後の斜視図である。
【００３８】
ここで、図１と共通する部位には、同一の番号を付し、その説明は省略する。
【００３９】
すなわち、図１では、カバー体２を竪樋用樋支持具本体１’の適所に係止させる構造であったのに対し、これら図２〜図４では、カバー体２の端部に、互いに係脱可能な係止部２２ａ及び被係止部２２ｂを各々形成し、竪樋用樋支持具本体１’にカバー体２を着脱自在に装着する構造のカバー付樋支持具Ａを例示している。
【００４０】
図２では、カバー体２の開放端２１の一方に、突起状の係止部２２ａを突設すると共に、他方には、この係止部２２ａに係止可能な孔部を複数開設させた被係止部２２ｂを各々形成したものである。なお、２２ｃは、固定部１２を回避するために開設された長溝である。
【００４１】
図３では、カバー体２の開放端２１の一方に、鋸歯状の係止部２２ａを突設すると共に、他方には、この係止部２２ａに係止可能な鋸歯状の被係止部２２ｂを各々形成したものである。
【００４２】
これら図２及び図３で示すように、カバー体２の開放端の一方に設けた係止部２２ａを、他方の被係止部２２ｂに係止させれば、図１と同様、竪樋用樋支持具本体１’に、所望の耐候性、色・柄等を有するカバー体２を着脱自在に係止して装着することができるので、複雑な塗装作業を行うことなく、竪樋用樋支持具本体１’に耐候性を簡単に付与することできる。
【００４３】
図４は、竪樋用樋支持具本体１’の固定部１２が、板状のものである場合に係止される係止部２２ａ及び被係止部２２ｂの一例を示したカバー付樋支持具Ａの分解斜視図及び組立て後の斜視図である。
【００４４】
このカバー体２では、一方の開放端２１には、固定部１２を跨いで延設された爪状の係止部２２ａを形成すると共に、他方の開放端２１には、この係止部２２ａに係止される被係止部２２ｂを形成した構造にしている。
【００４５】
このように、竪樋用樋支持具本体１’の固定部１２の形状に応じて、カバー体２の係止部２２ａ及び被係止部２２ｂの構造を対応させることで、カバー体２を竪樋用樋支持具本体１’に対して確実に係止させることができるのである。なお、これら図２〜図４で示した係止部２２ａ及び被係止部２２ｂに、図１で示した係止部２２を組み合わせることも勿論可能である。
【実施例３】
【００４６】
図５（ａ）、（ｂ）及び図６は、本発明に係るカバー付樋支持具Ａの更に他の実施例を示す分解斜視図及び組立て後の斜視図である。
【００４７】
ここで、図１〜図４と共通する部位には、同一の番号を付し、その説明は省略する。
【００４８】
すなわち、図５及び図６では、樋支持具本体１が、軒樋（不図示）を支持する樋支持部１３と、この樋支持部１３を軒先等に固定する固定部１４とからなる軒樋用樋支持具本体１’’である点で、図１〜図４のものとは相違するが、この軒樋用樋支持具本体１’’を軒先等に取付けた際に外部から目視される部分にカバー体２を被覆する点では同じである。
【００４９】
すなわち、図５（ａ）、（ｂ）は、軒樋（不図示）を受け止めて支持する樋支持部１３と、この樋支持部１３を軒先等に固定する固定部１４とからなり、図５（ａ）では、固定部１４が、固定金具に差し込まれて取付けされる構造であるのに対し、図５（ｂ）では、固定部１４が直接固定される構造のものを示している。
【００５０】
図６で示すカバー付樋支持具Ａは、軒樋（不図示）を吊り下げて支持する樋支持部１３と、この樋支持部１３を軒先等に固定する固定部１４とからなり、ここでの固定部１４は、図５（ａ）と同じく、固定金具に差し込まれて取付けされる構造のものを例示している。
【００５１】
これら図５（ａ）、（ｂ）及び図６で示したカバー付樋支持具Ａは、その軒樋用樋支持具本体１’’の構造が異なるものの、この軒樋用樋支持具本体１’’を軒先等に取付けた際に外部から目視される部分にカバー体２を被覆せんとする点では同じであり、これら軒樋用樋支持具本体１’’に使用されるカバー体２は、軒樋用樋支持具本体１’’に応じて形成される。
【００５２】
例えば、図５（ａ）のカバー体２は、軒樋（不図示）を受け止めて支持するので、外被される樋支持部１３の下方を被覆するようにしており、カバー体２を樋支持部１３の下面に接合させると共に、カバー体２の基端に設けた係止部２２を、樋支持部１３基端に係止させる構造にしたものである。
【００５３】
また、図５（ｂ）のカバー体２は、板状の樋支持部１３を回避するために、カバー体２の一部に長溝２２ｄを形成したものであり、この長溝２２ｄを設けることで、外被される樋支持部１３の下方を被覆することができる。
【００５４】
一方、図６のカバー体２は、軒樋（不図示）を吊り下げて支持するため、樋支持部１３が前記軒樋（不図示）によって軒下側には外被されないため、その樋支持部１３の基端側と固定部１４だけを外被するようにしたものである。
【００５５】
これら何れの構造の軒樋用樋支持具本体１’’であっても、これら軒樋用樋支持具本体１’’に、所望の耐候性、色・柄等を有するカバー体２を着脱自在に装着している点では同じであり、そのため、軒樋用樋支持具本体１’’に耐候性を簡単に付与することできる。
【００５６】
また、軒樋用樋支持具本体１’’を共用できるので、雨樋の色・柄等に対応したカバー体２だけを各色揃えておけば良く、在庫スペースを狭小にできる。
【図面の簡単な説明】
【００５７】
【図１】本発明に係るカバー付樋支持具Ａの一実施例を示す分解斜視図及び組立て後の斜視図である。
【図２】本発明に係るカバー付樋支持具Ａの他の実施例（突起及び孔部）を示す分解斜視図及び組立て後の斜視図である。
【図３】本発明に係るカバー付樋支持具Ａの他の実施例（鋸歯状）を示す分解斜視図及び組立て後の斜視図である。
【図４】本発明に係るカバー付樋支持具Ａの他の実施例（爪状）を示す分解斜視図及び組立て後の斜視図である。
【図５】（ａ）、（ｂ）は、本発明に係るカバー付樋支持具Ａの更に他の実施例（軒樋を受け止めて支持する構造）を示す分解斜視図及び組立て後の斜視図である。
【図６】本発明に係るカバー付樋支持具Ａの更に他の実施例（軒樋を吊り下げて支持する構造）を示す分解斜視図及び組立て後の斜視図である。
【符号の説明】
【００５８】
Ａ      カバー付樋支持具
１      樋支持具本体
１’    竪樋用樋支持具本体
１’’   軒樋用樋支持具本体
１１    抱持バンド
１２    固定部
１３    樋支持部
２      カバー体
２１    端部
２２    係止部
２２ａ  係止部
２２ｂ  被係止部
【図１】
2007063801.tif 000003
【図２】
2007063801.tif 000004
【図３】
2007063801.tif 000005
【図４】
2007063801.tif 000006
【図５】
2007063801.tif 000007
【図６】
2007063801.tif 000008